(57)【要約】【課題】充電台の充電端子部内に塵埃等が溜まるのを抑制し得る電気掃除機を提供することを目的とする。【解決手段】電気掃除機は蓄電池を内蔵し、蓄電池の充電用の本体端子部を有する掃除機本体と、掃除機本体を載置し本体端子部に接続される端子受部（２１）を有する充電台（１５）とを備えている。端子受部（２１）の側面に開口部（２３、２４）が設けられ、端子受部（２１）の内底面（２５）が開口部（２３、２４）に向かって傾斜して形成されている。【選択図】図１０
2015027449.tif 000002
【特許請求の範囲】
【請求項１】
蓄電池を内蔵し前記蓄電池の充電用の本体端子部を有する掃除機本体と、
前記掃除機本体を載置し前記本体端子部に接続される端子受部を有する充電台と、を備え、
前記端子受部の側面に開口部が設けられ前記端子受部の内底面が前記開口部に向かって傾斜して形成されたことを特徴とする電気掃除機。
【請求項２】
蓄電池収納室を有する掃除機本体と、
前記蓄電池収納室に着脱自在に収納され蓄電池端子部を有する蓄電池と、
前記蓄電池を載置し前記蓄電池端子部に接続される端子受部を有する充電台と、を備え、前記端子受部の側面に開口部が設けられ前記端子受部の内底面が前記開口部に向かって傾斜して形成されたことを特徴とする電気掃除機。
【請求項３】
前記開口部が複数設けられたことを特徴とする請求項１または２に記載の電気掃除機。
【請求項４】
前記端子受部内に充電端子が配設されると共に、前記端子受部の相対向する両側面に前記開口部が形成され、前記内底面の一端は前記充電端子側にあることを特徴とする請求項３に記載の電気掃除機。
【発明の詳細な説明】
【技術分野】
【０００１】
本発明は、電気掃除機に関するものである。
【背景技術】
【０００２】
従来の蓄電池を内蔵した電気掃除機は掃除機本体と、掃除機本体とは別体に設けられた充電台とが備えられていた（例えば、特許文献１参照）。
【０００３】
このような充電台は、上面に掃除機本体を載置する載置面を有する略箱状に形成されている。充電台の載置面には、掃除機本体の本体端子部に係合する充電端子部が突設されている。充電端子部には、端子金具が内蔵されている。そして、充電端子部の上面から側面に渡ってスリットが形成され、スリットを介して掃除機本体の端子部が端子金具に接続される。
【先行技術文献】
【特許文献】
【０００４】
【特許文献１】特開２００２−１７６２７号公報
【発明の概要】
【発明が解決しようとする課題】
【０００５】
しかしながら従来の電気掃除機では、スリットは充電端子部の上面から側面に渡って形成されているため、スリットから塵埃等が侵入する場合がある。スリット内に塵埃等が溜まると取り除くことが困難であり、スリット内に溜まった塵埃等により接触不良が発生する虞もあった。
【０００６】
本発明は、前記従来の課題を解決するもので、充電台の充電端子部内に塵埃等が溜まるのを防止し得る電気掃除機を提供することを目的とする。
【課題を解決するための手段】
【０００７】
前記従来の課題を解決するために本発明の電気掃除機は、蓄電池を内蔵し、蓄電池充電用の本体端子部を有する掃除機本体と、掃除機本体を載置し本体端子部に接続される端子受部を有する充電台とを備えている。そして端子受部の側面に開口部が設けられ、端子受部の内底面が開口部に向かって傾斜して形成されている。
【０００８】
また本発明の電気掃除機は、蓄電池収納室を有する掃除機本体と、蓄電池収納室に着脱自在に収納され蓄電池端子部を有する蓄電池と、蓄電池を載置し蓄電池端子部に接続される端子受部を有する充電台とを備えている。そして端子受部の側面に開口部が設けられ、端子受部の内底面が開口部に向かって傾斜して形成されている。
【０００９】
このような電気掃除機は、開口部を介して端子受部内に侵入した塵埃等が排出されるため、端子受部内に塵埃等が溜まることが抑制され、接触不良を抑制し得る電気掃除機を提供することができる。
【発明の効果】
【００１０】
本発明の電気掃除機は、充電台の端子受部に塵埃等が溜まることがなく、接触不良を抑制し得る電気掃除機を提供することができる。
【図面の簡単な説明】
【００１１】
【図１】本発明の実施の形態の電気掃除機の斜視図である。
【図２】同電気掃除機の掃除機本体の後方からの外観斜視図である。
【図３】同電気掃除機の掃除機本体の分解斜視図である。
【図４】同電気掃除機の掃除機本体を上方から見た断面図である。
【図５】同電気掃除機の掃除機本体の蓄電池ケースの斜視図である。
【図６】同電気掃除機の蓄電池ケースの分解斜視図である。
【図７】同電気掃除機の本体端子部が端子部枠体に収納された状態を蓄電池ケース本体側から見た斜視図である。
【図８】（ａ）同電気掃除機の蓄電池の図、（ｂ）図７のＡ−Ａ線側から見た断面図である。
【図９】同電気掃除機の充電台の斜視図である。
【図１０】図９におけるＢ−Ｂ断面図である。
【図１１】本発明の実施の形態の電気掃除機の充電台に掃除機本体が取り付けられた様子を示す斜視図である。
【図１２】同電気掃除機の充電台に蓄電池が取り付けられた様子を示す斜視図である。
【発明を実施するための形態】
【００１２】
第１の発明は、蓄電池を内蔵し前記蓄電池の充電用の本体端子部を有する掃除機本体と、前記掃除機本体を載置し前記本体端子部に接続される端子受部を有する充電台と、を備え、前記端子受部の側面に開口部が設けられ前記端子受部の内底面が前記開口部に向かって傾斜して形成したことで、開口部を介して端子受部内に侵入した塵埃等を排出することができ、端子受部内に塵埃等が溜まるのを抑制できる。
【００１３】
第２の発明は、蓄電池収納室を有する掃除機本体と、前記蓄電池収納室に着脱自在に収納され蓄電池端子部を有する蓄電池と、前記蓄電池を載置し前記蓄電池端子部に接続される端子受部を有する充電台と、を備え、前記端子受部の側面に開口部が設けられ前記端子受部の内底面が前記開口部に向かって傾斜して形成したことで、開口部を介して端子受部内に侵入した塵埃等を排出することができ、端子受部内に塵埃等が溜まるのを抑制できる。
【００１４】
第３の発明は、特に第１または第２の発明において、前記開口部が複数設けられたことで、端子受部内に侵入した塵埃等を効率よく排出することができる。
【００１５】
第４の発明は、特に第１〜３の発明において、前記端子受部内に充電端子が配設されると共に、前記端子受部の相対向する両側面に前記開口部が形成され、前記内底面の一端は前記充電端子側にあることで、端子受部内に侵入した塵埃等を効率よく排出することができる。
【００１６】
以下、本発明の実施の形態について、図面を参照しながら説明する。なお、この実施の形態によって本発明が限定されるものではない。
【００１７】
（実施の形態）
図１は、本発明の実施の形態の電気掃除機の斜視図である。図１に示すように電気掃除機１００は掃除機本体１と、吸込具２と、延長管３と、ホース４とから構成され、掃除機本体１に集塵装置６が着脱自在に装着されている。ここで掃除機本体１には、吸引風を発生させる電動送風機５が内蔵されている。被清掃面の塵埃は、吸込具２から吸引される。延長管３は、一端が吸込具２に接続されている。ホース４は、一端が延長管３に接続され、他端が掃除機本体１に接続されている。
【００１８】
吸込具２には、被清掃面の塵埃を掻きあげる回転ブラシ（図示せず）が配設され、回転
ブラシを回転駆動する電動機（図示せず）が内蔵されている。また、ホース４の延長管３側の端部には、使用者が保持する把手部２７を備えた先端パイプ２８が設けられている。先端パイプ２８を介して延長管３と、ホース４とが着脱自在に接続されている。さらに、ホース４の掃除機本体１側の端部には、接続パイプ２９が設けられている。接続パイプ２９を介して掃除機本体１の吸気口３０と、ホース４とが着脱自在に接続されている。
【００１９】
図２は本発明の実施の形態の電気掃除機の掃除機本体の後方からの外観斜視図、図３は同電気掃除機の掃除機本体の分解斜視図である。図２及び図３に示すように掃除機本体１は、下枠体３１と、上枠体３２ａと、装飾体３２ｂと、後枠体１０とから構成されている。下枠体３１と上枠体３２ａと装飾体３２ｂとは、爪またはネジ等によって結合されている。ここで下枠体３１は、掃除機本体１の下部を形成する。上枠体３２ａは、掃除機本体１の上部を形成する。装飾体３２ｂは、上枠体３２ａを覆う。掃除機本体１の上部、すなわち上枠体３２ａの上部には、掃除機本体１を持ち運ぶ際に使用者が保持する本体ハンドル３３が取り付けられている。また、下枠体３１の下面の前方には、走行用のキャスター３４が回動自在に取り付けられている。
【００２０】
掃除機本体１の前方端部には、弾性材料により形成された逆止弁３５が取り付けられている。また、逆止弁３５を覆うように吸気口３０が取り付けられている。さらに下枠体３１と上枠体３２ａとの間には、吸気口３０から流入した空気を集塵装置６に流入させるための吸気パイプ３６が配設されている。
【００２１】
図４は本発明の実施の形態の電気掃除機の掃除機本体を上方から見た断面図、図５は同電気掃除機の掃除機本体の蓄電池ケースの斜視図、図６は同電気掃除機の蓄電池ケースの分解斜視図である。図４に示すように掃除機本体１には、電動送風機５に直流電源を供給する蓄電池８を着脱自在に収納する蓄電池ケース９が取り付けられている。蓄電池ケース９は、蓄電池収納室である。
【００２２】
図５、図６に示すように蓄電池ケース９は、蓄電池ケース本体１１と、環状リブ１２と、第１の車軸部３７と、車輪部７と、内枠体２６と、第１の蓋体１３と、を備えている。ここで蓄電池ケース本体１１は、一端に第１の開口部を有し、円筒状である。環状リブ１２は、蓄電池ケース本体１１の第１の開口部側に形成される。第１の車軸部３７は、環状リブ１２の外周に嵌合保持される。車輪部７は、第１の車軸部３７の外周に回動自在に支持される。
【００２３】
内枠体２６は環状リブ１２の内面に嵌合保持され、環状リブ１２と蓄電池ケース本体１１との間において第１の車軸部３７と車輪部７とを抜け止め保持する。第１の蓋体１３は、蓄電池ケース本体１１の第１の開口部側に回動自在に支持され、蓄電池ケース９内に形成される蓄電池収納部を開閉自在に閉塞する。環状リブ１２と内枠体２６とが重なった状態において、第１の車軸部３７が支持される。そのため第１の車軸部３７の支持強度が向上し、掃除機本体１が落下するなど車輪部７に強い外力が加わった際にも第１の車軸部３７の変形が防止される。
【００２４】
図７は、本発明の実施の形態の電気掃除機の本体端子部が端子部枠体に収納された状態を蓄電池ケース本体側から見た斜視図である。
【００２５】
図６、図７に示すように蓄電池ケース９内には、電気端子１７ａを有する本体端子部１７が端子部枠体１８を介して装着されている。端子部枠体１８には、第１の蓋体１３を回動自在に支持するためのヒンジ部１９が形成されている。第１の蓋体１３には、蓄電池ケース本体１１と第１の蓋体１３とを係合させる尾錠部２０が設けられている。
【００２６】
図４〜図６に示すように掃除機本体１は蓄電池８を内蔵し、蓄電池８の充電用の本体端子部１７を有している。
【００２７】
図８（ａ）は本発明の実施の形態の電気掃除機の蓄電池の図であり（ｂ）は図７のＡ−Ａ線側から見た断面図である。図８（ａ）（ｂ）に示すように蓄電池８の下部には、蓄電池端子部８ａが配置されている。蓄電池８が図６の蓄電池ケース９内に収納された状態において、蓄電池端子部８ａと本体端子部１７とが接続される。このように本体端子部１７の上方側の電気端子１７ａと、蓄電池端子部８ａが有した電気端子８ｂとが、電気的に通電可能に接続される。
【００２８】
図９は本発明の実施の形態の電気掃除機の充電台の斜視図、図１０は図９におけるＢ−Ｂ断面図である。図４の掃除機本体１の蓄電池８を充電するための図９及び図１０に示す充電台１５は、電源コード１６と、端子受部２１とを有している。ここで充電台１５には、電源コード１６により商用電源が供給される。端子受部２１には、図８（ｂ）に示す本体端子部１７の下方側の電気端子１７ａ、または蓄電池端子部８ａの電気端子８ｂが選択的に接続される。
【００２９】
また図１０に示すように端子受部２１内部には、複数の充電端子２２が配置されている。充電端子２２は、端子受部２１の内底面である傾斜面２５により支持されている。端子受部２１の側面には、開口部である前面開口２３と後面開口２４とが設けられている。傾斜面２５の一端は充電端子２２の側にあり、傾斜面２５は前面開口２３と後面開口２４とに向かって傾斜して形成されている。
【００３０】
その結果、開口部を介して端子受部２１内に侵入した塵埃等が排出されるため、端子受部２１内に塵埃等が溜まることが抑制される。また開口部が前面開口２３と後面開口２４と複数設けられることにより、端子受部２１内に侵入した塵埃等は効率よく排出される。また傾斜面２５の一端を充電端子２２の根元を頂点して前記開口部に向かって傾斜させたので、端子受部２１内に侵入した塵埃等は効率よく排出される。
【００３１】
充電台１５は回路基板を収納した本体部１５ａと、本体部１５ａからコ字状に延設した載置部１５ｂとから構成されている。本体部１５ａと載置部１５ｂとの間には、図２の掃除機本体１が載置部１５ｂに載置された際に車輪部７が嵌まり込む開口１５ｃが形成されている。端子受部２１は、載置部１５ｂに配設されている。
【００３２】
図１１は、本発明の実施の形態の電気掃除機の充電台に掃除機本体が取り付けられた様子を示す斜視図である。図１１に示すように電気掃除機１００は掃除機本体１と、図８（ａ）に示す蓄電池８と、充電台１５とを備えている。そして掃除機本体１が充電台１５に載置されて蓄電池８が充電される際、掃除機本体１が充電台１５に載置されることにより、掃除機本体１の図６、図８（ｂ）に示す本体端子部１７の下方側が、充電台１５の図１０に示す端子受部２１と接続され、蓄電池８が充電される。掃除機本体１が充電台１５に載置されて蓄電池８が充電されることにより、掃除機本体１から蓄電池８が着脱操作なく蓄電池８が充電され、使用勝手が向上する。
【００３３】
図１２は、本発明の実施の形態の電気掃除機の充電台に蓄電池が取り付けられた様子を示す斜視図である。図１２に示すように蓄電池８が充電台１５に載置されて蓄電池８が充電される際、蓄電池８が図２の掃除機本体１より取り外され、蓄電池８が充電台１５に載置されることにより、蓄電池８が充電される。蓄電池８が図２の掃除機本体１から取り外され、掃除機本体１に比較して軽量な蓄電池８のみが持ち運ばれて充電されるので、使用勝手が向上する。
【００３４】
また図１０に示すように充電台１５の端子受部２１側面に、前面開口２３と後面開口２４とが形成されている。そして端子受部２１の内底面となる傾斜面２５の一端が充電端子２２の側にあり、傾斜面２５は前面開口２３と後面開口２４とに向かって傾斜して形成されている。そのため、充電台１５の端子受部２１に塵埃等が侵入した場合、塵埃等は傾斜面２５に沿って充電台１５外部に排出される。前面開口２３と後面開口２４とから排出された塵埃等は、充電台１５の上に載ることなく、充電台１５の外部に排出されるので、充電台１５の上への塵埃等の落下が抑制される。
【００３５】
また、端子受部２１の相対向する両側面に、前面開口２３と後面開口２４とが形成されている。そして傾斜面２５が、前面開口２３と後面開口２４とに向かって傾斜して形成されている。しかし端子受部２１の一方の側面にのみ開口が形成され、その開口に向かって傾斜面２５が形成されてもよい。
【産業上の利用可能性】
【００３６】
以上のように本発明の電気掃除機の充電台は、端子受部に塵埃等が溜まるのが抑制されるので、家庭用および業務用の電気掃除機等に適用できる。
【符号の説明】
【００３７】
１  掃除機本体
２  吸込具
３  延長管
４  ホース
５  電動送風機
６  集塵装置
７  車輪部
８  蓄電池
８ａ  蓄電池端子部
８ｂ  電気端子
９  蓄電池ケース（蓄電池収納室）
１０  後枠体
１１  蓄電池ケース本体
１２  環状リブ
１３  第１の蓋体
１５  充電台
１５ａ  本体部
１５ｂ  載置部
１５ｃ  開口
１６  電源コード
１７  本体端子部
１７ａ  電気端子
１８  端子部枠体
１９  ヒンジ部
２０  尾錠部
２１  端子受部
２２  充電端子
２３  前面開口（開口部）
２４  後面開口（開口部）
２５  傾斜面（内底面）
２６  内枠体
２７  把手部
２８  先端パイプ
２９  接続パイプ
３０  吸気口
３１  下枠体
３２ａ  上枠体
３２ｂ  装飾体
３３  本体ハンドル
３４  キャスター
３５  逆止弁
３６  吸気パイプ
３７  第１の車軸部
１００  電気掃除機
【図１】
2015027449.tif 000003
【図２】
2015027449.tif 000004
【図３】
2015027449.tif 000005
【図４】
2015027449.tif 000006
【図５】
2015027449.tif 000007
【図６】
2015027449.tif 000008
【図７】
2015027449.tif 000009
【図８】
2015027449.tif 000010
【図９】
2015027449.tif 000011
【図１０】
2015027449.tif 000012
【図１１】
2015027449.tif 000013
【図１２】
2015027449.tif 000014